(57)【要約】【課題】施主用鍵を紛失した場合等の非常時に、早急に安全対策の処置をとることのできるドアの鍵システムを提供すること。【解決手段】工事中は、工事用鍵２１でシリンダー錠２０を施開錠し、工事終了後に、シリンダー錠２０に施主用鍵３１を差し込むことにより内部構造を変更させてシリンダー錠３０の内部構造と同一構造にできるようにした。これによって、工事用鍵２１によるシリンダー錠２０の使用をできなくするとともに、施主用鍵３１でシリンダー錠２０および３０を施開錠できるようにした。さらに、非常時に、シリンダー錠３０に非常用鍵４１を差し込むことによりシリンダー錠３０の内部構造を変更させて施主用鍵３１によるシリンダー錠３０の施開錠をできなくするとともに、非常用鍵４１でシリンダー錠３０を施開錠できるようにした。【選択図】　図８
2004068505.tif 000002
【特許請求の範囲】
【請求項１】
ドアに取り付けられたシリンダー錠を施錠開錠する工事用鍵と、前記シリンダー錠に差し込むことにより前記シリンダー錠の内部構造を変更させて前記工事用鍵による内部構造変更後のシリンダー錠の施錠開錠をできなくするとともに、前記内部構造変更後のシリンダー錠を施錠開錠する施主用鍵と、前記内部構造変更後のシリンダー錠に差し込むことにより前記シリンダー錠の内部構造をさらに変更して前記施主用鍵による内部構造変更後のシリンダー錠の施錠開錠をできなくするとともに、前記内部構造変更後のシリンダー錠を施錠開錠する非常用鍵とを備えたことを特徴とするドアの鍵システム。
【請求項２】
ドアに取り付けられた内部構造の異なる２個のシリンダー錠のうちのいずれか一方のシリンダー錠を施錠開錠する工事用鍵と、前記一方のシリンダー錠に差し込むことにより前記一方のシリンダー錠の内部構造を変更させて他方のシリンダー錠の内部構造と同一構造にし、前記工事用鍵による内部構造変更後の一方のシリンダー錠の施錠開錠をできなくするとともに、前記内部構造変更後の一方のシリンダー錠および他方のシリンダー錠を施錠開錠する施主用鍵と、前記他方のシリンダー錠に差し込むことにより前記他方のシリンダー錠の内部構造を変更させて前記施主用鍵による内部構造変更後の他方のシリンダー錠の施錠開錠をできなくするとともに、前記内部構造変更後の他方のシリンダー錠を施錠開錠する非常用鍵とを備えたことを特徴とするドアの鍵システム。
【請求項３】
ドアに取り付けられた内部構造の異なる２個のシリンダー錠のうちのいずれか一方のシリンダー錠を施錠開錠する工事用鍵と、前記一方のシリンダー錠に差し込むことにより前記一方のシリンダー錠の内部構造を変更させて他方のシリンダー錠と同一構造にし、前記工事用鍵による内部構造変更後の一方のシリンダー錠の施錠開錠をできなくするとともに、前記内部構造変更後の一方のシリンダー錠および他方のシリンダー錠を施錠開錠する施主用鍵と、前記内部構造変更後の一方のシリンダー錠に差し込むことにより前記一方のシリンダー錠の内部構造をさらに変更して前記施主用鍵による内部構造変更後の一方のシリンダー錠の施錠開錠をできなくするとともに、前記内部構造変更後の一方のシリンダー錠を施錠開錠する非常用鍵とを備えたことを特徴とするドアの鍵システム。
【請求項４】
ドアに取り付けられた内部構造の異なる２個のシリンダー錠のうちのいずれか一方のシリンダー錠を施錠開錠する工事用鍵と、前記一方のシリンダー錠に差し込むことにより前記一方のシリンダー錠の内部構造を変更させて他方のシリンダー錠と同一構造にし、前記工事用鍵による内部構造変更後の一方のシリンダー錠の施錠開錠をできなくするとともに、前記内部構造変更後の一方のシリンダー錠および他方のシリンダー錠を施錠開錠する施主用鍵と、前記内部構造変更後の一方のシリンダー錠および前記他方のシリンダー錠に差し込むことにより前記２個のシリンダー錠の内部構造を変更して前記施主用鍵による前記２個のシリンダー錠の施錠開錠をできなくするとともに、前記２個のシリンダー錠を施錠開錠する非常用鍵とを備えたことを特徴とするドアの鍵システム。
【請求項５】
ドアに取り付けられた２個のシリンダー錠を施錠開錠する工事用鍵と、前記２個のシリンダー錠に差し込むことにより前記２個のシリンダー錠の内部構造を変更させて前記工事用鍵による内部構造変更後の２個のシリンダー錠の施錠開錠をできなくするとともに、前記内部構造変更後の２個のシリンダー錠を施錠開錠する施主用鍵と、前記内部構造変更後の２個のシリンダー錠のうちのいずれか一方のシリンダー錠に差し込むことにより前記一方のシリンダー錠の内部構造をさらに変更させて前記施主用鍵による内部構造変更後の一方のシリンダー錠の施錠開錠をできなくするとともに、前記内部構造変更後の一方のシリンダー錠を施錠開錠する非常用鍵とを備えたことを特徴とするドアの鍵システム。
【発明の詳細な説明】
【０００１】
【発明の属する技術分野】
本発明は、ドアに取り付けられたシリンダー錠を施錠開錠するためのドアの鍵システムに関する。
【０００２】
【従来の技術】
従来から、建物等のドアには、シリンダー錠が設けられたものがあり、このシリンダー錠の施錠開錠を行うために鍵が用いられている。このような鍵の中には、防犯の目的で、工事用鍵と施主用鍵とを使い分け、工事終了後は、工事用鍵の使用ができないようにしたコンストラクションキーがある。このコンストラクションキーを用いた鍵システムは、建物等の建設工事期間中に業者が使用するための工事用鍵と、工事終了後に施主が使用するための施主用鍵とで構成されている。そして、工事終了後に、施主が施主用鍵をシリンダー錠に差し込むと、シリンダー錠の内部構造に変化が生じて、工事用鍵の使用ができなくなり、施主用鍵だけの使用ができるようになる。これによって、工事用鍵の悪用による犯罪を防止することができる。
【０００３】
【発明が解決しようとする課題】
しかしながら、前述したコンストラクションキーを備えたドアの鍵システム等では、通常、家族の人数等に合わせて複数個の施主用鍵が用いられており、その中の１個でも施主用鍵が紛失したり盗難にあったりした場合には、その鍵の悪用等が考えられ、防犯上安全とは言えない。このため、施主用鍵を紛失等した場合、早急にシリンダー錠の取替え工事等を行う必要があるが、工事完了までの間の防犯対策が問題となる。
【０００４】
【発明の概要】
本発明は、上記問題に対処するためになされたもので、その目的は、施主用鍵を紛失した場合等の非常時に、早急に安全対策の処置をとることのできるドアの鍵システムを提供することである。
【０００５】
上記の目的を達成するため、本発明にかかるドアの鍵システムの構成上の特徴は、ドアに取り付けられたシリンダー錠を施錠開錠する工事用鍵と、シリンダー錠に差し込むことによりシリンダー錠の内部構造を変更させて工事用鍵による内部構造変更後のシリンダー錠の施錠開錠をできなくするとともに、内部構造変更後のシリンダー錠を施錠開錠する施主用鍵と、内部構造変更後のシリンダー錠に差し込むことによりシリンダー錠の内部構造をさらに変更して施主用鍵による内部構造変更後のシリンダー錠の施錠開錠をできなくするとともに、内部構造変更後のシリンダー錠を施錠開錠する非常用鍵とを備えたことにある。
【０００６】
前記のように構成した本発明のドアの鍵システムでは、施主用鍵を紛失する等の非常時には、非常用鍵をシリンダー錠に差し込むことにより、シリンダー錠の内部構造を変更できるようにしている。したがって、施主用鍵を紛失した場合等の非常時には、非常用鍵をシリンダー錠内に差し込むだけの簡単な操作で施主用鍵を使用できなくすることができる。また、内部構造が変更したシリンダー錠の施錠開錠は、非常用鍵によって行えるため、施主はその非常用鍵を使用することによって、シリンダー錠と鍵を新たなものと交換するまでの期間、通常の生活を安心して行える。
【０００７】
また、この場合、シリンダー錠を複数のシリンダー錠で構成することもできる。これによると、施主用鍵を紛失する等の非常時における防犯ができ、かつ鍵を使用しないピッキング等による犯罪防止にも有効になる。すなわち、複数個のシリンダー錠を設けることにより、施主用鍵を使用せずにドアを開ける場合に要する時間が大幅に長くなり、これによって、ピッキング等による犯罪を防げる可能性が大幅に増加する。
【０００８】
本発明にかかるドアの鍵システムの他の構成上の特徴は、ドアに取り付けられた内部構造の異なる２個のシリンダー錠のうちのいずれか一方のシリンダー錠を施錠開錠する工事用鍵と、一方のシリンダー錠に差し込むことにより一方のシリンダー錠の内部構造を変更させて他方のシリンダー錠の内部構造と同一構造にし、工事用鍵による内部構造変更後の一方のシリンダー錠の施錠開錠をできなくするとともに、内部構造変更後の一方のシリンダー錠および他方のシリンダー錠を施錠開錠する施主用鍵と、他方のシリンダー錠に差し込むことにより他方のシリンダー錠の内部構造を変更させて施主用鍵による内部構造変更後の他方のシリンダー錠の施錠開錠をできなくするとともに、内部構造変更後の他方のシリンダー錠を施錠開錠する非常用鍵とを備えたことにある。
【０００９】
これによると、内部構造の異なる２個のシリンダー錠の内部構造をそれぞれ１回変更できるように構成し、一方のシリンダー錠に施主用鍵を差し込むことにより変更した一方のシリンダー錠の内部構造が、他方のシリンダー錠の内部構造と同じになるようにしている。これによって、施主が施主用鍵を使用する際には、工事用鍵は使用できなくなり、施主用鍵は２個のシリンダー錠に対して使用できるようになる。
【００１０】
また、他方のシリンダー錠に非常用鍵を差し込むことにより他方のシリンダー錠の内部構造が変更する。これによって、施主用鍵は、一方のシリンダー錠には使用できるが、他方のシリンダー錠には使用できなくなる。一方、非常用鍵を使用する施主は、一方のシリンダー錠は開錠したままの状態にしておくか、予備の施主用鍵で施錠開錠を行い、他方のシリンダー錠は非常用鍵で施錠開錠することにより戸締りすることができる。また、一方のシリンダー錠に施主用鍵を差し込むことにより変更する内部構造が、他方のシリンダー錠の内部構造と同一になるの同一は、実質的に同一の意味で、双方のシリンダー錠が施主用鍵によって施錠開錠できる構造になっていれば施錠開錠に影響しない部分の構造は異なっていてもよい。
【００１１】
本発明にかかるドアの鍵システムのさらに他の構成上の特徴は、工事中に、ドアに取り付けられた内部構造の異なる２個のシリンダー錠のうちのいずれか一方のシリンダー錠を施錠開錠する工事用鍵と、工事終了後に、一方のシリンダー錠に差し込むことにより一方のシリンダー錠の内部構造を変更して他方のシリンダー錠と同一構造にし、工事用鍵による内部構造変更後の一方のシリンダー錠の施錠開錠をできなくするとともに、内部構造変更後の一方のシリンダー錠および他方のシリンダー錠を施錠開錠する複数の施主用鍵と、非常時に、内部構造変更後の一方のシリンダー錠に差し込むことにより一方のシリンダー錠の内部構造をさらに変更して施主用鍵による内部構造変更後の一方のシリンダー錠の施錠開錠をできなくするとともに、内部構造変更後の一方のシリンダー錠を施錠開錠する非常用鍵とを備えたことにある。
【００１２】
これによると、２個のシリンダー錠のうちの一方のシリンダー錠だけの内部構造を２回変更できるようにして、一方のシリンダー錠の内部構造が１回変更したときに、他方のシリンダー錠の内部構造と同じ構造になるようにしている。これによって、他方のシリンダー錠としては、コンストラクションキーに対応したものでなく通常のシリンダー錠の使用ができる。この場合の同一構造も完全同一でなく実質的に同一の意味である。
【００１３】
本発明にかかるドアの鍵システムのさらに他の構成上の特徴は、ドアに取り付けられた内部構造の異なる２個のシリンダー錠のうちのいずれか一方のシリンダー錠を施錠開錠する工事用鍵と、一方のシリンダー錠に差し込むことにより一方のシリンダー錠の内部構造を変更させて他方のシリンダー錠と同一構造にし、工事用鍵による内部構造変更後の一方のシリンダー錠の施錠開錠をできなくするとともに、内部構造変更後の一方のシリンダー錠および他方のシリンダー錠を施錠開錠する施主用鍵と、内部構造変更後の一方のシリンダー錠および他方のシリンダー錠に差し込むことにより２個のシリンダー錠の内部構造を変更して施主用鍵による２個のシリンダー錠の施錠開錠をできなくするとともに、２個のシリンダー錠を施錠開錠する非常用鍵とを備えたことにある。
【００１４】
これによると、非常用鍵で２個のシリンダー錠の双方の施錠開錠を行うことができるため、非常時における安全性がより高まる。
【００１５】
本発明にかかるドアの鍵システムのさらに他の構成上の特徴は、ドアに取り付けられた２個のシリンダー錠を施錠開錠する工事用鍵と、２個のシリンダー錠に差し込むことにより２個のシリンダー錠の内部構造を変更させて工事用鍵による内部構造変更後の２個のシリンダー錠の施錠開錠をできなくするとともに、内部構造変更後の２個のシリンダー錠を施錠開錠する施主用鍵と、内部構造変更後の２個のシリンダー錠のうちのいずれか一方のシリンダー錠に差し込むことにより一方のシリンダー錠の内部構造をさらに変更させて施主用鍵による内部構造変更後の一方のシリンダー錠の施錠開錠をできなくするとともに、内部構造変更後の一方のシリンダー錠を施錠開錠する非常用鍵とを備えたことにある。
【００１６】
これによると、工事用鍵で２個のシリンダー錠の双方の施錠開錠を行うことができるため、工事中における建物等の内部からの盗難等に対する防犯が有効になり安全性が高まる。
【００１７】
【発明の実施の形態】
以下、本発明の一実施形態を図面を用いて説明する。図１は、玄関ドア１０の表面（家屋の外部側）を示しており、この玄関ドア１０には、本発明にかかるドアの鍵システムが用いられている。この玄関ドア１０は、壁に設けられた開口の縁部に固定された四角枠状のドア枠部１１と、ドア枠部１１に取り付けられた親ドア１２と子ドア１３とで構成されている。ドア枠部１１は、両側部と上端部が厚肉で、下端部が薄肉に形成されたアルミニウム製の枠からなっており、その枠内に、木材で構成された親ドア１２と小ドア１３とが開閉可能に取り付けられている。
【００１８】
親ドア１２は、幅の広い縦長の板状体で構成され、一側部の上端および下端に取り付けられたピボットヒンジ１４ａ，１４ｂを介してドア枠部１１に回転可能に取り付けられている。また、親ドア１２の表面の他側部における中央よりもやや下方の位置に取っ手１５が取り付けられている。この取っ手１５は、親ドア１２の表面に上下に間隔を保って固定された２個の固定部１６ａ，１６ｂに、略コ字状の金具１７を固定して構成されている。そして、固定部１６ａ，１６ｂの略中央に、それぞれ後述するシリンダー錠２０，３０が取り付けられている。
【００１９】
子ドア１３は、幅の狭い縦長の板状体で構成され、他側部の上端および下端に取り付けられたピボットヒンジ１８ａ，１８ｂを介してドア枠部１１に回転可能に取り付けられている。また、子ドア１３の一側部の上端および下端には、それぞれドア枠部１１に対して進退可能な係合部（図示せず）が設けられており、この係合部によって、通常時は、子ドア１３はドア枠部１１に固定されている。
【００２０】
また、親ドア１２のシリンダー錠２０，３０には、それぞれシリンダー錠２０，３０の操作に従って子ドア１３に対して進退する係合突起（図示せず）が設けられており、この係合突起に対応する子ドア１３の部分（端面）には係合凹部（図示せず）が設けられている。したがって、この係合突起を係合凹部に係合させることにより、親ドア１２は子ドア１３に固定され閉じた状態を維持し、係合突起と係合凹部の係合を解除することにより、親ドア１２は子ドア１３への固定を解除され開くことが可能な状態になる。
【００２１】
シリンダー錠２０は、玄関ドア１０を備えた家屋の建設工事中においては、工事用鍵（図４参照）２１によって施錠開錠ができ、建設工事終了後においては、施主用鍵（図６参照）３１によって施錠開錠ができる構成になっており、図２ないし図５に示した内部構造を有している。これらの図のうち、図２および図３は、工事用鍵２１を抜いた状態を示しており、図４および図５は、工事用鍵２１を差し込んだ状態を示している。
【００２２】
シリンダー錠２０は、円筒状のシリンダー本体２２ａとシリンダー本体２２ａの上部に一体的に設けられた直方体のばね収容部２２ｂとからなるシリンダー胴２２およびシリンダー本体２２ａ内に設けられたシリンダープラグ２３を備えている。シリンダー本体２２ａの内周面における上端部からは、ばね収容部２２ｂの上部に延びる６個のばね収容穴２４が、シリンダー本体２２ａの中心軸方向に一定間隔を保って設けられている。そして、ばね収容穴２４の奥側（上部側）にそれぞれ、コイル状のピンバネ２５が収容され、ばね収容穴２４内におけるピンバネ２５の下側にそれぞれ長さの異なる円柱状の上ピン２６ａが収容されている。
【００２３】
シリンダープラグ２３は、シリンダー本体２２ａ内に、シリンダー本体２２ａの軸線回りに回転可能な状態で取り付けられており、略円柱状に形成されている。このシリンダープラグ２３には、前端から後端にかけて、工事用鍵２１を差し込むことができる細長いスライド溝２７が設けられており、シリンダープラグ２３におけるスライド溝２７の上端に対応する部分には、シリンダー胴２２のばね収容穴２４と連通する６個のピン挿通穴２８が設けられている。
【００２４】
そして、ピン挿通穴２８にそれぞれ長さの異なる円柱状の下ピン２６ｂが上下移動可能な状態で収容されている。この下ピン２６ｂの直径は、上ピン２６ａの直径と同一に設定されている。そして、スライド溝２７の下部には、幅が狭く屈曲したピン止め部２７ａが形成されており、下ピン２６ｂは、ピンバネ２５によって、上ピン２６ａを介してピン止め部２７ａに付勢されている。
【００２５】
また、６個の下ピン２６ｂのうち、スライド溝２７の差込口側の下ピン２６ｂの下端には、下ピン２６ｂの下端部と係合した調節ピン２６ｃが取り付けられている。この調節ピン２６ｃは、横方向（図３の左右方向）の一方、例えば、左方向に押圧されることにより下ピン２６ｂから外れ、シリンダープラグ２３に設けられた凹部（図示せず）内に移動するように構成されている。また、各上ピン２６ａの下部は、工事用鍵２１がスライド溝２７に差し込まれていないときには、ピン挿通穴２８内まで入り込んで、シリンダープラグ２３が回転できないようにする。
【００２６】
そして、工事用鍵２１をスライド溝２７に差し込むと、工事用鍵２１によって、各上ピン２６ａ、下ピン２６ｂおよび調節ピン２６ｃは、ピンバネ２５の弾性に抗して上方に移動する。この結果、図４および図５に示すように、すべての上ピン２６ａと下ピン２６ｂとの境界部が、シリンダー本体２２ａの内周面とシリンダープラグ２３の外周面との境界面上に位置するようになり、シリンダープラグ２３はシリンダー胴２２に対して回転可能になる。また、シリンダープラグ２３は、前述した係合突起と連動するように構成されており、シリンダープラグ２３の回転によって、係合突起は親ドア１２の端面から進退する。
【００２７】
このため、工事用鍵２１をスライド溝２７に差し込んで一方に回すと、工事用鍵２１とともに、シリンダープラグ２３、下ピン２６ｂおよび調節ピン２６ｃが回転し、係合突起が子ドア１３の係合凹部に係合する。その状態で、工事用鍵２１を元の位置に戻すことによりシリンダー錠２０から抜くことができる。また、工事用鍵をスライド溝２７に差し込んで、他方に回すと、係合突起と係合凹部の係合を解除することができ、その状態で、工事用鍵２１を元の位置に戻すことによりシリンダー錠２０から抜くことができる。これによって、シリンダー錠２０の施錠開錠が行える。
【００２８】
図６は、シリンダー錠３０に施主用鍵３１を差し込んだ状態を示している。このシリンダー錠３０では、一定間隔を保って設けられた６個の下ピン３６ｂのうち、スライド溝３７の差込口側の下ピン３６ｂの下端には、調節ピンは設けられてなく、その部分に対応するシリンダープラグ３３にも凹部は設けられていない。そして、スライド溝３７の差込口から２番目の下ピン３６ｂの下側に調節ピン３６ｃが取り付けられて、この調節ピン３６ｃに対応するシリンダープラグ３３の部分に凹部（図示せず）が設けられている。
【００２９】
この調節ピン３６ｃおよび凹部は、それぞれシリンダー錠３０の調節ピン２６ｃおよび凹部と同様の構成になっており、調節ピン３６ｃは、横方向に押圧することにより下ピン３６ｂから外れ、凹部内に移動する。シリンダー錠３０のそれ以外の構成は、シリンダー錠２０と同一である。したがって、同一部分に同一符号を記している。
【００３０】
また、施主用鍵３１におけるスライド溝３７の差込口側の下ピン３６ｂに対応する部分には、下ピン３６ｂと係合するための凹部は設けられてなく、その部分の上端面は平面部３１ａに形成されている。そして、平面部３１ａの先端側（スライド溝３７の奥側）部分には、先端が薄肉で後部が厚肉になった傾斜部３１ｂが形成されている。この施主用鍵３１のそれ以外の部分の構成については、工事用鍵２１と同一である。
【００３１】
したがって、この施主用鍵３１を、シリンダー錠２０に差し込むと、施主用鍵３１の傾斜部３１ｂが、調節ピン２６ｃをシリンダープラグ２３の凹部に移動させて、シリンダー錠２０の内部構造（図４に示した断面の部分の構造）は、シリンダー錠３０の内部構造（図６に示した断面の部分の構造）と同様の構造になる。この施主用鍵３１は、内部構造変更後のシリンダー錠２０とシリンダー錠３０の施錠開錠を行える。
【００３２】
また、本発明にかかるドアの鍵システムは、図７に示した非常用鍵４１も備えている。図７は、非常用鍵４１を、シリンダー錠３０に差し込んだ状態を示しており、この非常用鍵４１におけるスライド溝３７の差込口側に対応する部分の上端面の平面部４１ａは、２番目の下ピン３６ｂに対応する部分まで延びている。
そして、平面部４１ａの先端側部分には、施主用鍵３１の傾斜部３１ｂと同様の傾斜部４１ｂが形成されている。
【００３３】
この非常用鍵４１のそれ以外の部分の構成については、施主用鍵３１と同一である。したがって、この非常用鍵４１を、シリンダー錠３０に差し込むと、非常用鍵４１の傾斜部４１ｂが、調節ピン３６ｃ（図６）をシリンダープラグ３３の凹部に移動させて、シリンダー錠３０の内部構造は、図７に示した状態になる。
また、この非常用鍵４１によって、内部構造変更後のシリンダー錠３０の施錠開錠が行える。
【００３４】
つぎに、このように構成された本実施形態にかかるドアの鍵システムの使用について、図８を用いて説明する。まず、家屋の建設工事中には、シリンダー錠３０は、開錠したままの状態にしておき、工事業者は、工事用鍵２１を使用してシリンダー錠２０だけの施錠開錠をすることにより玄関ドア１０の開閉を行う。
【００３５】
そして、建設工事が終了して、家屋を施主に引き渡す際に、建設業者は、施主に対して、複数個の施主用鍵３１を渡す。施主用鍵３１が渡された施主は、まず、施主用鍵３１を、シリンダー錠２０に差し込んで、調節ピン２６ｃをシリンダープラグ２３の凹部内に移動させる。これによって、シリンダー錠２０は、図６に示したシリンダー錠３０と略同一の構造になり、施主用鍵３１は、図８に示したように、シリンダー錠２０，３０の双方の施錠開錠が可能になる。
【００３６】
また、この場合、調節ピン２６ｃが移動したことによって、シリンダー錠２０におけるスライド溝２７の差込口側の上ピン２６ａおよび下ピン２６ｂが調節ピン２６ｃの長さ分だけ下方に位置するようになる。このため、工事用鍵２１をシリンダー錠２０に差し込んでも、上ピン２６ａが、シリンダー本体２２ａのばね収容穴２４とシリンダープラグ２３のピン挿通穴２８の双方にかかり、シリンダープラグ２３の回転を阻止する。この結果、これ以後、工事用鍵２１の使用はできなくなる。
【００３７】
また、施主用鍵３１を使用している間に、複数の施主用鍵３１のうちの、例えば、１個を紛失したり盗難にあったりした場合には、その施主用鍵３１を使用した家宅侵入等の犯罪発生の可能性が生じるため、非常用鍵４１をシリンダー錠３０に差し込んで、調節ピン３６ｃをシリンダープラグ３３の凹部内に移動させる。これによって、シリンダー錠３０は、図７に示した構造になり、非常用鍵４１によって、図８のように施錠開錠が可能になる。
【００３８】
また、この場合、調節ピン３６ｃが移動したことによって、シリンダー錠３０におけるスライド溝３７の差込口から２番目の上ピン２６ａおよび下ピン３６ｂが調節ピン３６ｃの長さ分だけ下方に位置するようになる。このため、施主用鍵３１をシリンダー錠３０に差し込んでも、上ピン２６ａが、シリンダー本体２２ａのばね収容穴２４とシリンダープラグ３３のピン挿通穴２８の双方にかかり、シリンダープラグ３３の回転を阻止する。この結果、これ以後、シリンダー錠３０に対しては、施主用鍵３１の使用はできなくなる。ただし、シリンダー錠２０に対しては、引き続き施主用鍵３１の使用はできる。
【００３９】
このため、施主は、シリンダー錠および鍵を新たなものと交換するまでの間、シリンダー錠２０に対しては、残った予備の施主用鍵３１を用い、シリンダー錠３０に対しては、非常用鍵４１を使用する。または、シリンダー錠２０は開錠したままの状態にして、シリンダー錠３０と非常用鍵４１とで施錠開錠をしてもよい。また、施主用鍵３１をすべて紛失した場合にも、シリンダー錠３０と非常用鍵４１だけを使用する。
【００４０】
このように、この実施形態によるドアの鍵システムによれば、工事終了後に、工事用鍵２１の使用をできなくして、施主用鍵３１で、シリンダー錠２０，３０の双方の施錠開錠を行えるようにするだけでなく、施主用鍵３１を紛失した非常時にも、施主用鍵３１によるシリンダー錠３０の施錠開錠をできなくすることができる。そして、シリンダー錠３０の施錠開錠は非常用鍵４１によって行えるようになる。このため、非常時に、早急な措置を取ることができ、有効な防犯対策が可能になる。
【００４１】
また、工事用鍵２１を使用不可にしたり、施主用鍵３１を使用不可にしたりする操作が、施主用鍵３１をシリンダー錠２０に差し込むことと、非常用鍵４１をシリンダー錠３０に差し込むだけの簡単な操作ですむため、使い易く、実用的効果が大である。
【００４２】
また、前述した実施形態では、工事用鍵２１をシリンダー錠２０に使用し、施主用鍵３１をシリンダー錠２０，３０に使用し、非常用鍵４１をシリンダー錠３０に使用するようにしているが、本発明によるドアの鍵システムは、これに限らず、種々のパターンに変更することができる。例えば、非常用鍵４１をシリンダー錠２０に使用するようにすることもでき、これによると、内部構造を変更するシリンダー錠は１個だけにすることができるため、他方のシリンダー錠の製造が簡単になる。この場合、内部構造を変更するシリンダー錠は、調節ピンを２個備えた構成にする。
【００４３】
また、非常用鍵４１をシリンダー錠２０，３０の双方に使用するようにすることもでき、これによると、非常時における安全性が高まる。さらに、工事用鍵３１をシリンダー錠２０，３０の双方に使用し、非常用鍵４１を、シリンダー錠２０，３０の一方だけに使用するようにすることもでき、これによると、工事中における安全性が高まる。また、前述した変形例はすべて、シリンダー錠２０とシリンダー錠３０との設置位置を入れ替えて使用することもできる。
【００４４】
また、シリンダー錠を１個で構成し、２回内部構造を変更できる構造にすることもでき、これによると、製造が簡単になる。また、同一構造のシリンダー錠を複数設けることもでき、これによると、ピッキング防止等に有効となる。
【００４５】
また、前述した実施形態の各部分の構成については、適宜、変更実施が可能である。例えば、前述した実施形態では、シリンダー錠２０，３０の内部構造の変更を調節ピン２６ｃ，３６ｃの移動によって行うようにしているが、この調節ピン２６ｃ，３６ｃは設けず、対応する下ピン２６ｃ，３６ｃを移動させる構造にすることもできる。この場合、移動する下ピン２６ｃ等の上方の上ピン２６ａの長さを長めに設定して、下ピン２６ｃ等が移動した状態で、スライド溝２７等に、工事用鍵２１等を差し込んだときに、上ピン２６ａがばね収容穴２４とピン挿通穴２８の境界部を通って双方にかかるようにしておく。
【００４６】
また、本発明によるドアの鍵システムは、前述したピンを移動させるように構成したものに限らず、すでに、公知のコンストラクションキーに対応した各種のシリンダー錠で構成することができる。
【図面の簡単な説明】
【図１】本発明の一実施形態によるドアの鍵システムを備えた玄関ドアを示す正面図である。
【図２】ドアの鍵システムが備えるシリンダー錠の断面図である。
【図３】図２に示したシリンダー錠の３−３断面図である。
【図４】図２に示したシリンダー錠に工事用鍵を差し込んだ状態を示す断面図である。
【図５】図４の５−５断面図である。
【図６】ドアの鍵システムが備えるもう一つのシリンダー錠に施主用鍵を差し込んだ状態を示す断面図である。
【図７】図６のシリンダー錠に非常用鍵を差し込んだ状態を示す断面図である。
【図８】本発明の一実施形態によるドアの鍵システムを説明する説明図である。
【符号の説明】
１０…玄関ドア、１２…親ドア、１３…子ドア、２０，３０…シリンダー錠、２１…工事用鍵、２２…シリンダー胴、２３，３３…シリンダープラグ、２４…ばね収容穴、２５…ピンバネ、２６ａ，３６ａ…上ピン、２６ｂ，３６ｂ…下ピン、２６ｃ，３６ｃ…調節ピン、２７，３７…スライド溝、２７ａ…ピン止め部、２８…ピン挿通穴、３１…施主用鍵、４１…非常用鍵。
【図１】
2004068505.tif 000003
【図２】
2004068505.tif 000004
【図３】
2004068505.tif 000005
【図４】
2004068505.tif 000006
【図５】
2004068505.tif 000007
【図６】
2004068505.tif 000008
【図７】
2004068505.tif 000009
【図８】
2004068505.tif 000010